(57)【要約】【課題】政府機関により交付され移動無線機に貼付される紙製証票シールを使用する上で発生する恐れのある種々の不具合を改善した移動無線機、及び移動無線機の所在判定システムを提供する。【解決手段】この無線機１００は、無線機本体１と、送信モードと受信モードを切り替える送受切替スイッチ２と、受話音の音量を調節するボリュームつまみ３と、送信モードではマイクとして機能し、受信モードではスピーカとして機能する送受話器４と、無線機本体１の適所に、当該無線機本体１の有効期限に関するデータを記憶した証票としてのＩＣカード７を装着する防水構造のＩＣカード収容部５と、電源としての電池を着脱可能とした電池パック６と、無線信号を送受信するアンテナ１２と、を備えて構成されている。【選択図】図１
2008141403.tif 000002
【特許請求の範囲】
【請求項１】
移動無線機において、
前記無線機本体の適所に、当該無線機本体の有効期限に関するデータを記憶した証票としてのＩＣカードを装着する防水構造のＩＣカード収容部を配置したことを特徴とする移動無線機。
【請求項２】
前記ＩＣカードには、前記無線機本体のＩＤを示す情報と、該ＩＣカードが真正であることを示す情報と、が記憶されていることを特徴とする請求項１に記載の移動無線機。
【請求項３】
前記ＩＤを示す情報は、前記真正を示す情報を兼ねていることを特徴とする請求項２に記載の移動無線機。
【請求項４】
前記ＩＣカードの外面には、前記無線機本体の有効期限が表示され、前記ＩＣカード収容部内にセットしたときにＩＣカード収容部に設けた透明部から当該有効期限が視認できるように構成されていることを特徴とする請求項１、２又は３に記載の移動無線機。
【請求項５】
前記無線機本体側には、前記ＩＣカード側に設けた端子と導通する機器側端子と、該機器側端子を介して該ＩＣカードの記憶データを読み出す読み出し手段と、が設けられていることを特徴とする請求項１、２、３又は４に記載の移動無線機。
【請求項６】
前記無線機本体は、前記ＩＣカード収容部に装着されたＩＣカードのＩＤ、及び真正に関する記憶データに基いて、無線機操作の可否を決定する制御手段を備えていることを特徴とする請求項１乃至５の何れか一項に記載の移動無線機。
【請求項７】
前記無線機本体は、前記ＩＣカード収容部に装着されたＩＣカードの有効期限に関する記憶データに基いて、有効期限満了日後の前記無線機本体の操作を禁止するように制御する制御手段を備えていることを特徴とする請求項１乃至６の何れか一項に記載の移動無線機。
【請求項８】
前記制御手段は、無線機本体から前記ＩＤを示す情報を無線信号中に含めるように前記無線信号を送受信する送受信部を制御することを特徴とする請求項１乃至７の何れか一項に記載の移動無線機。
【請求項９】
前記ＩＣカードのＩＤを無線機本体に手動入力する手動入力手段、又は前記ＩＣカード収容部に装着されたＩＣカードのＩＤを自動読取により入力する自動入力手段の何れかを備え、前記手動入力手段又は前記自動入力手段により入力されたＩＤを当該無線機のＩＤとして記憶し、以後、前記ＩＣカード以外がセットされた場合は、当該無線機を操作不可としたことを特徴とする請求項１乃至８の何れか一項に記載の移動無線機。
【請求項１０】
特定の無線機のＩＤと、この無線機に適用可能な特定のＩＣカードのＩＤとの対応関係が合致しない場合に、当該無線機を操作不可としたことを特徴とする請求項１乃至８の何れか一項に記載の移動無線機。
【請求項１１】
前記ＩＣカードの記憶情報を非接触にて読み取るリーダを無線機本体に備え、該リーダにより読み取った情報を無線機に入力することを特徴とする請求項１、２、３、４、６、７、８、９又は１０に記載の移動無線機。
【請求項１２】
無線機本体の有効期限に関するデータを記憶した証票としてのＩＣカードの記憶情報を非接触にて読み取るリーダにより読み取った情報を無線信号として無線機に入力することを特徴とする移動無線システム。
【請求項１３】
請求項１乃至１１の何れか一項に記載された移動無線機から送信される無線信号中の前記ＩＤを示す情報に基づいて前記無線機本体の所在を判定する判定手段を備えたことを特徴とする移動無線機の所在判定装置。
【発明の詳細な説明】
【技術分野】
【０００１】
本発明は政府機関により交付され移動無線機に貼付される無線局免許証票を使用する上での利便性を向上させた移動無線機、及び移動無線機の所在判定装置に関する。
【背景技術】
【０００２】
携帯電話機が普及した現在にあっても、移動無線機は災害時等の緊急時や業務用としての必要性が高い。
我が国では移動無線機の許認可（免許）は政府機関によってなされており、免許を受けた法人や自然人は移動無線機を使用開始するに当たって政府機関が発行した証票（無線局免許証票）を移動無線機の適所に貼付する必要がある。
しかし、政府機関発行の証票は有効期限が色により識別された紙製のシールであるため屋外環境など過酷な条件下で使用された場合、シールの５年間の有効期限中に証票が損耗して記載内容が不明瞭になる恐れがあった。
【０００３】
特許文献１には、車載無線機と、携帯無線機を着脱可能に装着する携帯無線機収容部と、を備えた車載無線装置において、各無線機のメモリ部に無線免許に関する固有情報を記憶すると共に、メモリ部に記憶されている固有情報の一致の有無を検出することにより、各無線機の使用状況を容易に知ることができる無線通信システムが開示されている。
しかし、この従来例にあっては、紙製シールとしての証票を携帯無線機に貼付する従来制度における上記不具合について言及さえなされていない。
【特許文献１】特開２００６−１００８８９公報
【発明の開示】
【発明が解決しようとする課題】
【０００４】
以上のように政府機関により交付された証票シールを無線機に貼付することにより有効期限まで使用を許可している現在の状況においては、屋外環境など過酷な条件下で使用された場合紙製証票シールが損耗して記載内容が不明瞭なる恐れがあった。
本発明は上記に鑑みてなされたものであり、政府機関により交付され移動無線機に貼付される紙製証票シールを使用する上での利便性を向上させた移動無線機、及び移動無線機の所在判定装置を提供することを目的としている。
【課題を解決するための手段】
【０００５】
本発明はかかる課題を解決するために、請求項１は、移動無線機において、前記無線機本体の適所に、当該無線機本体の有効期限に関するデータを記憶した証票としてのＩＣカードを装着する防水構造のＩＣカード収容部を配置したことを特徴とする。
本発明はＩＣカードに無線機本体の有効期限をデータとして記憶しておく。そして、そのＩＣカードを証票として装着する防水構造のＩＣカード収容部を備えるものである。これにより、ＩＣカードを装着すること自体が証票を装着していることになり、しかも、有効期限が期限満了後であれば、自動的に無線機の操作を不可として、不正な使用を未然に防止すると共に、雨中での使用に対して証票の耐久性を高めることができる。
【０００６】
請求項２は、前記ＩＣカードには、前記無線機本体のＩＤを示す情報と、該ＩＣカードが真正であることを示す情報と、が記憶されていることを特徴とする。
ＩＣカードは不正に複製されて使用されることを防止するために、各ＩＣカードを特定するＩＤ情報が記憶されている。また、更にセキュリティ精度を高めるために、ＩＣカードのフォーマット等が真正であるか否かを示す情報も記憶する。これにより、ＩＣカードの不正な複製を防止することができる。
【０００７】
請求項３は、前記ＩＤを示す情報は、前記真正を示す情報を兼ねていることを特徴とする。
ＩＤ情報を比較的複雑に構成することにより、不正な複製を十分防止することが可能となる。そこで本発明では、ＩＤを示す情報は、真正を示す情報を兼ねるように構成するものである。これにより、ＩＣカードの情報構成を単純化することができる。
【０００８】
請求項４は、前記ＩＣカードの外面には、前記無線機本体の有効期限が表示され、前記ＩＣカード収容部内にセットしたときにＩＣカード収容部に設けた透明部から当該有効期限が視認できるように構成されていることを特徴とする。
ＩＣカードは従来のシールによる証票と外見上は同じであることが好ましい。そこで本発明では、ＩＣカードの外面には、無線機本体の有効期限が表示され、ＩＣカード収容部内にセットしたときにＩＣカード収容部に設けた透明部から有効期限が視認できるように構成されている。これにより、外面の透明部から有効期限が視認できるばかりでなく、その表示部を外乱から防ぐことができる。
【０００９】
請求項５は、前記無線機本体側には、前記ＩＣカード側に設けた端子と導通する機器側端子と、該機器側端子を介して該ＩＣカードの記憶データを読み出す読み出し手段と、が設けられていることを特徴とする。
ＩＣカードをスロット状の収容部に差し込んで、機器側端子とＩＣカードの端子を接続することにより、ＩＣカードに記憶されている情報を読み出す。このような構成により、ＩＣカードを収容部に挿入するだけで自動的にＩＣカードに記憶されている情報を読み出すことができる。
【００１０】
請求項６は、前記無線機本体は、前記ＩＣカード収容部に装着されたＩＣカードのＩＤ、及び真正に関する記憶データに基いて、無線機操作の可否を決定する制御手段を備えていることを特徴とする。
ＩＣカードが正規のものであるか否かをチェックするためには、ＩＣカードに記憶されているＩＤ情報と真正に関する記憶データを調べる必要がある。その一つの方法として、予め正規のＩＤ情報と真正に関する記憶データを記憶しておき、読み取ったデータと比較する制御手段を備える方法がある。これにより、無線機操作の可否の決定を、確実に且つ正確に行うことができる。
【００１１】
請求項７は、前記無線機本体は、前記ＩＣカード収容部に装着されたＩＣカードの有効期限に関する記憶データに基いて、有効期限満了日後の前記無線機本体の操作を禁止するように制御する制御手段を備えていることを特徴とする。
制御手段内にカレンダーを備えておき、ＩＣカードの有効期限に関する記憶データとカレンダーの日付を比較することにより、有効期限満了日になったか否かを知ることができる。そして、有効期限満了日後の無線機本体の操作を禁止するように制御するものである。これにより、有効期限満了日後の不正使用を未然に防ぐことができる。
【００１２】
請求項８は、前記制御手段は、無線機本体から前記ＩＤを示す情報を無線信号中に含めるように前記無線信号を送受信する送受信部を制御することを特徴とする。
無線機が紛失したり、盗難に遭った場合、無線信号中に当該無線機を特定するＩＤが交信により受信されれば、電波が発信された方向を特定することによりその無線機の概略の所在場所が判明する。そこで本発明では、無線機本体からＩＤを示す情報を無線信号中に含めるように送受信部を制御するものである。これにより、無線機の紛失、盗難による無線機の所在場所を概略知ることができる。
【００１３】
請求項９は、前記ＩＣカードのＩＤを無線機本体に手動入力する手動入力手段、又は前記ＩＣカード収容部に装着されたＩＣカードのＩＤを自動読取により入力する自動入力手段の何れかを備え、前記手動入力手段又は前記自動入力手段により入力されたＩＤを当該無線機のＩＤとして記憶し、以後このＩＣカード以外がセットされた場合は、当該無線機を操作不可としたことを特徴とする。
元々特定の無線機と特定のＩＣカードとのＩＤによる対応関係を決めておくわけではなく、ＩＣカードを無線機本体にセットする際に、ＩＣカードのＩＤを無線機本体に手動入力、或いは自動入力し、以後このＩＣカード以外がセットされた場合は、当該無線機を操作できないように構成する。これにより、無線機を長期使用しない場合は、ＩＣカードを抜き取っておくことにより、無線機が盗難されたとしても、使用を無効とすることができる。
【００１４】
請求項１０は、特定の無線機のＩＤと、この無線機に適用可能な特定のＩＣカードのＩＤとの対応関係が合致しない場合に、当該無線機を操作不可としたことを特徴とする。
本発明は、予め特定の無線機と特定ＩＣカードとのＩＤによる対応関係を決めておき、それ以外のＩＣカードがセットされても、当該無線機の操作を不可とするものである。これにより、無線機とＩＣカードとの対応関係が明確となり、他のＩＣカードを所持する者の無断使用を防止することができる。
【００１５】
請求項１１は、前記ＩＣカードの記憶情報を非接触にて読み取るリーダを無線機本体に備え、該リーダにより読み取った情報を無線機に入力することを特徴とする。
無線機本体にＩＣカードに記憶されている情報を非接触にて読み取るリーダを備えることにより、無線機本体側とＩＣカード側に接続端子が不要となる。これにより、無線機本体の改造を最小限にすることができる。
【００１６】
請求項１２は、無線機本体の有効期限に関するデータを記憶した証票としてのＩＣカードの記憶情報を非接触にて読み取るリーダにより読み取った情報を無線信号として無線機に入力することを特徴とする。
ＩＣカードに記憶されている情報を非接触にて読み取るリーダを外部に備え、リーダで読み取った情報を送信機により送信して無線機に入力する。これにより、無線機にリーダを備える必要がなくなり、無線機の構成を単純化することができる。
【００１７】
請求項１３は、請求項１乃至１１の何れか一項に記載された移動無線機から送信される無線信号中の前記ＩＤを示す情報に基づいて前記無線機本体の所在を判定する判定手段を備えたことを特徴とする。
無線機が紛失したり、盗難に遭った場合、無線信号中に当該無線機を特定するＩＤが交信により受信されれば、電波が発信された方向を特定することによりその無線機の概略の所在場所が判明する。そこで本発明では、無線機本体からＩＤを示す情報を受信して、無線機本体の所在を判定する判定手段を備えるものである。これにより、無線機の紛失、盗難による無線機の所在場所を判定することができる。
【発明の効果】
【００１８】
移動無線機において、無線機本体の適所に、当該無線機本体の有効期限に関するデータを記憶した証票としてのＩＣカードを装着する防水構造のＩＣカード収容部を配置したので、ＩＣカードを装着すること自体が証票を装着していることになり、しかも、有効期限が期限満了後であれば、自動的に無線機の操作を不可として、不正な使用を未然に防止すると共に、雨中での使用に対して証票の耐久性を高めることができる。
【発明を実施するための最良の形態】
【００１９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る無線機の外観図である。この無線機１００は、無線機本体１と、送信モードと受信モードを切り替える送受切替スイッチ２と、受話音の音量を調節するボリュームつまみ３と、マイクスピーカ４と、無線機本体１の適所に、当該無線機本体１の有効期限に関するデータを記憶した証票としてのＩＣカード７を装着する防水構造のＩＣカード収容部５と、電源としての電池を着脱可能とした電池パック６と、無線信号を送受信するアンテナ１２と、を備えて構成されている。
【００２０】
図２（ａ）はＩＣカードの外観図である。このＩＣカード７は、無線機本体１に備えられている機器側端子２０と電気的に接続するための端子８と、外面には政府機関により発行された無線局免許証票（以下、単に証票と呼ぶ）９が貼付されている。尚、端子８によりＩＣカード７に内蔵された図示しないＩＣチップと接続されている。また、証票９の外面には、図２（ｂ）のように例えば、「無線局免許証票  有効期限  年  月  総務省」と表示される。
【００２１】
図３はＩＣカード収容部にＩＣカードを装着した場合の断面図である。無線機本体１には、ＩＣカード収容部７の奥部にＩＣカードと電気的に接続するための機器側端子２０が備えられ、ＩＣカード７を挿入部１３から挿入して、ＩＣカード７の端子８を機器側端子２０に挿入することにより、ＩＣカード７に内蔵されたＩＣチップと電気的に接続される。また、その状態では、証票９が透明部１４の下部に位置するため、証票９に表示された内容が透明部１４から視認することができる。
【００２２】
図４はＩＣカードをＩＣカード収容部に収容したときの透明部から証票を見た図である。同じ構成要素には図１と同じ参照番号を付してある。このように本発明は、ＩＣカード７に無線機本体１の免許の有効期限をデータとして記憶しておく。そして、そのＩＣカード７を証票として装着する防水構造のＩＣカード収容部５を備えるものである。これにより、ＩＣカード７を装着すること自体が証票９を装着していることになり、しかも、有効期限が期限満了後であれば、自動的に無線機１００の操作を不可として、不正な使用を未然に防止すると共に、雨中での使用に対して証票の耐久性を高めることができる（詳細は後述する）。
また、ＩＣカード７は不正に複製されて使用されることを防止するために、各ＩＣカードを特定するＩＤ情報が記憶されている。また、更にセキュリティ精度を高めるために、ＩＣカードのフォーマット等が真正であるか否かを示す情報も記憶する。これにより、ＩＣカード７の不正な複製を防止することができる。尚、ＩＤ情報を比較的複雑に構成することにより、不正な複製を十分防止することが可能となるので、ＩＤ情報を真正であるか否かを示す情報と兼ねるようにしてもよい。
【００２３】
図５は図１の実施形態に係る無線機の機能ブロック図である。この実施形態では、無線機本体１側には、ＩＣカード７側に設けた端子８と導通する機器側端子２０と、機器側端子２０を介してＩＣカード７の記憶データを読み出す読出し部（読み出し手段）２１と、ＩＣカード収容部５に装着されたＩＣカード７の記憶データに基づいて無線機本体の操作を制御する制御部（制御手段）２２と、無線信号を送受信する送受信部２３と、を備えて構成される。
そして、ＩＣカード７が機器側端子２０に接続されると、制御部２２は、読出し部２１によりＩＣカード７の記憶データを読み出し、ＩＤ、及び真正に関する記憶データに基いて、無線機操作の可否を決定したり、或いはＩＣカード収容部５に装着されたＩＣカード７の有効期限に関する記憶データに基いて、有効期限満了日後の無線機本体の操作を禁止するように無線機本体１を制御する（詳細は後述する）。
【００２４】
即ち、ＩＣカード７をスロット状のＩＣカード収容部５に差し込んで、機器側端子２０とＩＣカードの端子８を接続することにより、ＩＣカード７に記憶されている情報を読み出す。このような構成により、ＩＣカード７をＩＣカード収容部５に挿入するだけで自動的にＩＣカード７に記憶されている情報を読み出すことができる。
また、ＩＣカード７が正規のものであるか否かをチェックするためには、ＩＣカード７に記憶されているＩＤ情報と真正に関する記憶データを調べる必要がある。その一つの方法として、予め正規のＩＤ情報と真正に関する記憶データを記憶しておき、読み取ったデータと比較する方法がある。これにより、無線機操作の可否の決定を、確実に且つ正確に行うことができる。
また、制御部２２内にカレンダーを備えておき、ＩＣカード７の有効期限に関する記憶データとカレンダーの日付を比較することにより、有効期限満了日になったか否かを知ることができる。そして、有効期限満了日後の無線機本体１の操作を禁止するように制御するものである。これにより、有効期限満了日後の不正使用を未然に防ぐことができる。
【００２５】
図６は他の実施形態に係る無線機の機能ブロック図である。この実施形態では、ＩＣカード７の記憶情報を非接触にて読み取るリーダ２５を無線機本体１に備え、リーダ２５により読み取った情報を無線機に入力するものである。
即ち、無線機本体１にＩＣカード７に記憶されている情報を非接触にて読み取るリーダ２５を備えることにより、無線機本体１側とＩＣカード７側に接続端子が不要となる。これにより、無線機本体１の改造を最小限にすることができる。もう一つの方法として、図示は省略するが、ＩＣカード７の記憶情報を非接触にて読み取るリーダを無線機本体１の外部に備え、このリーダにより読み取った情報を無線信号として無線機１００に入力するものである。即ち、ＩＣカードに記憶されている情報を非接触にて読み取るリーダを外部に備え、リーダで読み取った情報を送信機により送信して無線機に入力する。これにより、無線機にリーダを備える必要がなくなり、無線機の構成を単純化することができる。
【００２６】
また、元々特定の無線機と特定のＩＣカードとのＩＤによる対応関係を決めておくわけではなく、ＩＣカードを無線機本体にセットする際に、ＩＣカードのＩＤを無線機本体に手動入力、或いは自動入力し、以後このＩＣカード以外がセットされた場合は、当該無線機を操作できないように構成することもできる。これにより、無線機を長期使用しない場合等は、ＩＣカードを抜き取っておくことにより、無線機が盗難されたとしても、使用を無効とすることができる。
また別な方法として、紙製の証票をＩＣカードに変更し、このＩＣカード以外のＩＣカードをセットしても操作できないようにする。即ち、予め特定の無線機と特定のＩＣカードとのＩＤによる対応関係を決めておき、それ以外のＩＣカードがセットされても、当該無線機の操作を不可とするものである。これにより、無線機とＩＣカードとの対応関係が明確となり、他のＩＣカードを所持する者の無断使用を防止することができる。
【００２７】
図７は紛失或いは盗難に遭った無線機の所在位置を判定する所在判定装置の動作を説明する図である。所在判定装置には、無線機から送信される無線信号中のＩＤを示す情報に基づいて無線機本体の所在を判定する判定手段が備えられている。例えば、無線機Ｂ３７が紛失した無線機とすると、無線信号を所在判定装置３０から送信すると、無線機Ａ３５からは無線信号中にＩＤ（ＡＡ）が含まれているので、所在判定装置３０は捜索中の無線機Ｂ３７でないことが分かる。また、無線機Ｂ３７からは無線信号中にＩＤ（ＢＢ）が含まれているので、所在判定装置３０は捜索中の無線機Ｂ３７であることが分かる。そこで所在判定装置３０のアンテナ３１の方向を最も感度が強い方向に向けることにより、無線機Ｂ３７の概略の所在位置を確認することができる。尚、アンテナ３１は指向特性の狭いアンテナを使用することが好ましい。
このように、無線機が紛失したり、盗難に遭った場合、無線信号中に当該無線機を特定するＩＤが交信により受信されれば、電波が発信された方向を特定することによりその無線機の概略の所在場所が判明する。そこで本実施形態では、無線機Ｂ３７からＩＤを示す情報を受信して、無線機Ｂ３７の所在を判定する判定手段を備えるものである。これにより、無線機の紛失、盗難による無線機の所在場所を判定することができる。
【００２８】
図８は制御部の概略動作の一例を説明するフローチャートである。この例では、ＩＤ情報と有効期限により無線機の操作を制御する場合を説明する。ＩＣカード７がＩＣカード収容部５に収容されると、読出し部２１或いはリーダ２５によりＩＣカード７からＩＤ情報と有効期限情報を読み出す（Ｓ１）。制御部２２は読み出したＩＤ情報が正しいＩＤ情報か否かをチェックする（Ｓ２）。正しいＩＤ情報であれば次に有効期限情報が有効期限内であるか否かをチェックする（Ｓ３）。有効期限内であれば、無線機の操作を可とする（Ｓ４）。一方、ステップＳ２において読み出したＩＤが正しくない場合や、ステップＳ３において有効期限が満了であった場合は、無線機の操作を不可とする（Ｓ５）。即ち、ＩＣカードが正規のものであるか否かをチェックするためには、ＩＣカードに記憶されているＩＤ情報と真正に関する記憶データを調べる必要がある。その一つの方法として、予め正規のＩＤ情報と真正に関する記憶データを記憶しておき、読み取ったデータと比較する制御手段を備える方法がある。これにより、無線機操作の可否の決定を、確実に且つ正確に行うことができる。
【００２９】
図９は制御部の概略動作の一例を説明するフローチャートである。この例では、無線機ＩＤ情報と有効期限により無線機の操作を制御する場合を説明する。ＩＣカード７がＩＣカード収容部５に収容されると、読出し部２１或いはリーダ２５によりＩＣカード７からＩＤ情報と有効期限情報を読み出す（Ｓ１１）。制御部２２は読み出したＩＤ情報が無線機に記憶されている無線機ＩＤ情報と一致したか否かをチェックする（Ｓ１２）。ＩＤ情報が無線機ＩＤ情報と一致すると次に有効期限情報が有効期限内であるか否かをチェックする（Ｓ１３）。有効期限内であれば、無線機の操作を可とする（Ｓ１４）。一方、ステップＳ１２において読み出したＩＤが無線機ＩＤと一致しない場合や、ステップＳ１３において有効期限が満了であった場合は、無線機の操作を不可とする（Ｓ１５）。本発明は、予め特定の無線機と特定ＩＣカードとのＩＤによる対応関係を決めておき、それ以外のＩＣカードがセットされても、当該無線機の操作を不可とするものである。これにより、無線機とＩＣカードとの対応関係が明確となり、他のＩＣカードを所持する者の無断使用を防止することができる。
【００３０】
図１０は無線機ＩＤをセットする動作について説明するフローチャートである。まず制御部２２はＩＤセットモードであるか否かをチェックする（Ｓ２１）。このときＩＤセットモードでなければ、他のジョブに移行する（Ｓ２７）。ステップＳ２１でＩＤセットモードであると、手動入力モードか否かをチェックする（Ｓ２２）。ここで自動入力モードであると（Ｓ２２でＮＯ）、読出し部２１或いはリーダ２５によりＩＣカード７からＩＤ情報を読み出す（Ｓ２５）。そして読み出したＩＤ情報を無線機ＩＤとして記憶する（Ｓ２６）。一方、ステップＳ２２で手動入力モードであると（Ｓ２２でＹＥＳ）、ＩＤを手動で入力し（Ｓ２３）、この手動入力されたＩＤを無線機ＩＤとする（Ｓ２４）。
【００３１】
以上、携帯無線機を例にとり説明したが、携帯無線機だけではなく、車載無線機を含めた移動無線機に適用しても本発明の主旨を逸脱するものではない。
【図面の簡単な説明】
【００３２】
【図１】本発明の一実施形態に係る無線機の外観図である。
【図２】本発明のＩＣカードの外観図である。
【図３】ＩＣカード収容部にＩＣカードを装着した場合の断面図である。
【図４】ＩＣカードをＩＣカード収容部に収容したときの透明部から証票を見た図である。
【図５】図１の実施形態に係る無線機の機能ブロック図である。
【図６】他の実施形態に係る無線機の機能ブロック図である。
【図７】紛失或いは盗難に遭った無線機の所在位置を判定する所在判定装置の動作を説明する図である。
【図８】制御部の概略動作の一例を説明するフローチャートである。
【図９】制御部の概略動作の一例を説明するフローチャートである。
【図１０】無線機ＩＤをセットする動作について説明するフローチャートである。
【符号の説明】
【００３３】
１  無線機本体、２  送受切替スイッチ、３  ボリュームつまみ、４  送受話器、５  ＩＣカード収容部、６  電池パック、７  ＩＣカード、８  端子、９  証票、１２  アンテナ、１３  挿入部、１４  透明部、２０  機器側端子、１００  無線機
【図１】
2008141403.tif 000003
【図２】
2008141403.tif 000004
【図３】
2008141403.tif 000005
【図４】
2008141403.tif 000006
【図５】
2008141403.tif 000007
【図６】
2008141403.tif 000008
【図７】
2008141403.tif 000009
【図８】
2008141403.tif 000010
【図９】
2008141403.tif 000011
【図１０】
2008141403.tif 000012